(57)【要約】【課題】サービスに供されるコンテンツ毎に、異なる著作権保護ポリシを柔軟に変更できるデジタルコンテンツ配信システム、著作権保護方法およびプログラムを提供する。【解決手段】配信装置が、前記暗号化されたデジタルコンテンツに著作権保護プログラムを含めて配信し、受信装置が受信した著作権保護プログラムと内蔵するメディアプレーヤとの間で相互認証を行う。そして、受信装置が著作権保護プログラムを用いて、受信した暗号化されたデジタルコンテンツを復号し、復号されたデジタルコンテンツをメディアプレーヤにより再生する。【選択図】図４
2008187421.tif 000002
【特許請求の範囲】
【請求項１】
暗号化されたデジタルコンテンツを配信する配信装置と、該配信されたデジタルコンテンツを受信して再生する受信装置とからなるデジタルコンテンツ配信システムであって、
前記配信装置が、前記暗号化されたデジタルコンテンツに著作権保護プログラムを含めて配信することを特徴とするデジタルコンテンツ配信システム。
【請求項２】
前記受信装置が、
受信した前記デジタルコンテンツを復号する復号化手段と、
該復号したデジタルコンテンツを再生するメディアプレーヤを備えるとともに、
該メディアプレーヤが前記著作権保護プログラムとの間で相互認証を行うためのインターフェース手段を備えたことを特徴とする請求項１に記載のデジタルコンテンツ配信システム。
【請求項３】
前記デジタルコンテンツが地上波デジタル放送用コンテンツであり、前記受信装置が携帯通信端末であることを特徴とする請求項１または請求項２に記載のデジタルコンテンツ配信システム。
【請求項４】
前記著作権保護プログラムが平文で構成されるとともに、耐タンパ性を有することを特徴とする請求項１から請求項３のいずれかに記載のデジタルコンテンツ配信システム。
【請求項５】
暗号化されたデジタルコンテンツを配信する配信装置と、該配信されたデジタルコンテンツを受信して再生する受信装置とからなるデジタルコンテンツ配信システムにおける著作権保護方法であって、
前記配信装置が、前記暗号化されたデジタルコンテンツに著作権保護プログラムを含めて配信する第１のステップと、
前記受信装置が受信した著作権保護プログラムと内蔵するメディアプレーヤとの間で相互認証を行う第２のステップと、
前記受信装置が著作権保護プログラムを用いて、受信した前記暗号化されたデジタルコンテンツを復号する第３のステップと、
該復号されたデジタルコンテンツを前記メディアプレーヤにより再生する第４のステップと、
を備えたことを特徴とする著作権保護方法。
【請求項６】
暗号化されたデジタルコンテンツを配信する配信装置と、該配信されたデジタルコンテンツを受信して再生する受信装置とからなるデジタルコンテンツ配信システムにおける著作権保護方法をコンピュータに実行させるためのプログラムであって、
前記配信装置が、前記暗号化されたデジタルコンテンツに著作権保護プログラムを含めて配信する第１のステップと、
前記受信装置が受信した著作権保護プログラムと内蔵するメディアプレーヤとの間で相互認証を行う第２のステップと、
前記受信装置が著作権保護プログラムを用いて、受信した前記暗号化されたデジタルコンテンツを復号する第３のステップと、
該復号されたデジタルコンテンツを前記メディアプレーヤにより再生する第４のステップと、
をコンピュータに実行させるためのプログラム。
【発明の詳細な説明】
【技術分野】
【０００１】
本発明は、デジタルコンテンツ配信サービスに供せられるデジタルコンテンツ配信システム、著作権保護方法およびプログラムに関する。
【背景技術】
【０００２】
近年、ネットワーク技術の急速な普及に伴い、一般の利用者が、画像データ、音声情報データ、文字データなどの各種の著作物に関するデータを容易にネットワークを介して入手することが可能となっている。また、著作物の作者は、自己の著作物をネットワークで公開することにより、例えば、出版社や放送メディアなどを介することなく、自己の著作物を容易に発表することが可能となっている。このように、ネットワークを媒体として著作物の配信を行うことにより、利用者は、地理的、時間的なハンディを伴うことなく、所望の著作物を入手することができ、著作権者は、多くの資金を要することなく、作品の発表を行うことができる。
【０００３】
一方で、上記のようなコンテンツ配信サービスの現状を考えると、著作権者の意思とは無関係に行われる不正なコンテンツの流通を防ぐために、コンテンツを暗号化して配信することが必要となる。そのため、既存の受信端末における多くのメディアプレーヤには、こうした目的から著作権管理プログラムが組み込まれている（例えば、特許文献１参照。）。
【特許文献１】特開２００２−３５９６１６号公報
【発明の開示】
【発明が解決しようとする課題】
【０００４】
しかしながら、上述の従来技術では、メディアプレーヤに著作権管理プログラムを組み込む方式では、著作権保護ポリシを変更する際に、メディアプレーヤの改修が必要となるといった問題がある。このため、著作権保護ポリシの変更は、メディアプレーヤの改修を行うサービス提供者のみならず、利用者にもプログラムの更新などの負荷を強いることになる。また、一般に、著作権保護ポリシはサービス毎に異なるため、サービスに応じて、複数のメディアプレーヤを使い分ける必要があるという問題がある。
【０００５】
そこで、本発明は、上述の課題に鑑みてなされたものであり、サービスに供されるコンテンツ毎に、異なる著作権保護ポリシを柔軟に変更できるデジタルコンテンツ配信システム、著作権保護方法およびプログラムを提供することを目的とする。
【課題を解決するための手段】
【０００６】
本発明は、上述の課題を解決するために以下の事項を提案している。
（１）本発明は、暗号化されたデジタルコンテンツを配信する配信装置（例えば、図１の放送局１００に相当）と、該配信されたデジタルコンテンツを受信して再生する受信装置（例えば、図１の携帯端末２００に相当）とからなるデジタルコンテンツ配信システムであって、前記配信装置が、前記暗号化されたデジタルコンテンツに著作権保護プログラムを含めて配信することを特徴とするデジタルコンテンツ配信システムを提案している。
【０００７】
この発明によれば、配信装置が、暗号化されたデジタルコンテンツに著作権保護プログラムを含めて配信する。したがって、従来のメディアプレーヤに著作権管理プログラムを組み込む方式と異なり、サービスに供されるコンテンツ毎に、異なる著作権保護ポリシを柔軟に変更できる。
【０００８】
（２）本発明は、（１）のデジタルコンテンツ配信システムについて、前記受信装置が、受信した前記デジタルコンテンツを復号する復号化手段（例えば、図３のコンテンツ複合化部２０３に相当）と、該復号したデジタルコンテンツを再生するメディアプレーヤ（例えば、図３のメディアプレーヤ２１０に相当）を備えるとともに、該メディアプレーヤが前記著作権保護プログラムとの間で相互認証を行うためのインターフェース手段（例えば、図３のインターフェース部２１１に相当）を備えたことを特徴とするデジタルコンテンツ配信システムを提案している。
【０００９】
この発明によれば、受信装置が、受信したデジタルコンテンツを復号する復号化手段と、その復号したデジタルコンテンツを再生するメディアプレーヤを備えるとともに、メディアプレーヤが著作権保護プログラムとの間で相互認証を行うためのインターフェース手段を備えている。したがって、メディアプレーヤと著作権保護プログラムとの間で相互認証を行うことによって、著作権保護プログラムの不正利用やなりすまし等を的確に防止することができる。
【００１０】
（３）本発明は、（１）または（２）のデジタルコンテンツ配信システムについて、前記デジタルコンテンツが地上波デジタル放送用コンテンツであり、前記受信装置が携帯通信端末であることを特徴とするデジタルコンテンツ配信システムを提案している。
【００１１】
この発明によれば、デジタルコンテンツが地上波デジタル放送用コンテンツであり、受信装置が携帯通信端末である。したがって、昨今、普及を始めている地上波デジタル放送で行われる携帯端末用のデジタル放送、いわゆる、１セグメント放送に本発明の技術を適用することができる。
【００１２】
（４）本発明は、（１）から（３）のデジタルコンテンツ配信システムについて、前記著作権保護プログラムが平文で構成されるとともに、耐タンパ性を有することを特徴とするデジタルコンテンツ配信システムを提案している。
【００１３】
この発明によれば、著作権保護プログラムが平文で構成されるとともに、耐タンパ性を有している。したがって、著作権保護プログラムが平文で配信されることから、復号処理等の処理負荷が軽減する。また、著作権保護プログラムが平文で配信されるため、プログラムの難読化やアンチデバッガ等により耐タンパ性を持たせている。
【００１４】
（５）本発明は、暗号化されたデジタルコンテンツを配信する配信装置と、該配信されたデジタルコンテンツを受信して再生する受信装置とからなるデジタルコンテンツ配信システムにおける著作権保護方法であって、前記配信装置が、前記暗号化されたデジタルコンテンツに著作権保護プログラムを含めて配信する第１のステップと、前記受信装置が受信した著作権保護プログラムと内蔵するメディアプレーヤとの間で相互認証を行う第２のステップと、前記受信装置が著作権保護プログラムを用いて、受信した前記暗号化されたデジタルコンテンツを復号する第３のステップと、該復号されたデジタルコンテンツを前記メディアプレーヤにより再生する第４のステップと、を備えたことを特徴とする著作権保護方法を提案している。
【００１５】
この発明によれば、配信装置が、暗号化されたデジタルコンテンツに著作権保護プログラムを含めて配信し、受信装置が受信した著作権保護プログラムと内蔵するメディアプレーヤとの間で相互認証を行う。そして、受信装置が著作権保護プログラムを用いて、受信した暗号化されたデジタルコンテンツを復号し、復号されたデジタルコンテンツをメディアプレーヤにより再生する。したがって、配信装置が、暗号化されたデジタルコンテンツに著作権保護プログラムを含めて配信することから、サービスに供されるコンテンツ毎に、異なる著作権保護ポリシを柔軟に変更できる。また、著作権保護プログラムと内蔵するメディアプレーヤとの間で相互認証を行うことから、著作権保護プログラムの不正利用やなりすまし等を的確に防止することができる。
【００１６】
（６）本発明は、暗号化されたデジタルコンテンツを配信する配信装置と、該配信されたデジタルコンテンツを受信して再生する受信装置とからなるデジタルコンテンツ配信システムにおける著作権保護方法をコンピュータに実行させるためのプログラムであって、
前記配信装置が、前記暗号化されたデジタルコンテンツに著作権保護プログラムを含めて配信する第１のステップと、前記受信装置が受信した著作権保護プログラムと内蔵するメディアプレーヤとの間で相互認証を行う第２のステップと、前記受信装置が著作権保護プログラムを用いて、受信した前記暗号化されたデジタルコンテンツを復号する第３のステップと、該復号されたデジタルコンテンツを前記メディアプレーヤにより再生する第４のステップと、をコンピュータに実行させるためのプログラムを提案している。
【００１７】
この発明によれば、配信装置が、暗号化されたデジタルコンテンツに著作権保護プログラムを含めて配信し、受信装置が受信した著作権保護プログラムと内蔵するメディアプレーヤとの間で相互認証を行う。そして、受信装置が著作権保護プログラムを用いて、受信した暗号化されたデジタルコンテンツを復号し、復号されたデジタルコンテンツをメディアプレーヤにより再生する。したがって、配信装置が、暗号化されたデジタルコンテンツに著作権保護プログラムを含めて配信することから、サービスに供されるコンテンツ毎に、異なる著作権保護ポリシを柔軟に変更できる。また、著作権保護プログラムと内蔵するメディアプレーヤとの間で相互認証を行うことから、著作権保護プログラムの不正利用やなりすまし等を的確に防止することができる。
【発明の効果】
【００１８】
本発明によれば、サービス提供者は、メディアプレーヤと著作権保護プログラムとを独立に設計・実装でき、また、著作権保護方式をコンテンツ毎に柔軟に変更できるという効果がある。また、利用者にとっても、著作権保護ポリシの変更に伴うメディアプレーヤの更新処理、あるいはサービスに応じたプレイヤの使い分けが必要でなくなるという効果がある。
【発明を実施するための最良の形態】
【００１９】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２０】
＜デジタルコンテンツ配信システムの構成＞
図１を用いて、本実施形態に係るデジタルコンテンツ配信システムについて説明する。
なお、本実施形態では、配信側を放送局、受信側を携帯端末、配信されるデジタルコンテンツを地上波デジタル放送用コンテンツとする、いわゆる１セグメント放送を例にとって説明する。
【００２１】
本実施形態に係るデジタルコンテンツ配信システムは、図１に示すように、放送局１００と、携帯端末２００と、管理サーバ３００と、ネットワーク４００とから構成されている。放送局１００は、地上波デジタル放送用の暗号化されたデジタルコンテンツに著作権保護プログラムを含めた放送波を携帯端末２００に配信する。
【００２２】
携帯端末２００は、通信機能と放送波受信機能とを有する携帯型端末であり、受信したデジタルコンテンツを再生する。管理サーバ３００は、コンテンツ鍵の管理を行い、携帯端末２００からの要求に応じて、ネットワーク４００を介してコンテンツ鍵の受け渡しを行う。また、必要に応じた課金処理を実行する。
【００２３】
＜放送局の構成＞
次に、図２を用いて、放送局の構成について説明する。
本実施形態に係る放送局は、図２に示すように、鍵管理部１０１と、コンテンツデータベース１０２と、コンテンツ暗号化部１０３と、合成部１０４と、著作権保護プログラム管理部１０５と、コンテンツ送信部１０６とから構成されている。
【００２４】
鍵管理部１０１は、地上波デジタル放送用デジタルコンテンツを暗号化するための鍵を管理する。コンテンツデータベース１０２は、携帯端末２００に配信する地上波デジタル放送用デジタルコンテンツを保存、格納するデータベースである。
【００２５】
コンテンツ暗号化部１０３は、コンテンツデータベース１０２に格納され、携帯端末２００に配信する地上波デジタル放送用デジタルコンテンツを鍵管理部１０１において管理される暗号化鍵により暗号化する。
【００２６】
合成部１０４は、コンテンツ暗号化部１０３において暗号化された地上波デジタル放送用デジタルコンテンツと後述する著作権保護プログラムとを合成して配信するデータを生成する。著作権保護プログラム管理部１０５は、コンテンツ毎に異なる著作権保護プログラムを管理する。また、コンテンツ送信部１０６は、合成部１０４において、合成され生成された配信データを携帯端末２００に配信する。なお、著作権保護プログラムは、平文で構成されるが、プログラムの難読化やアンチデバッガ等の技術によって耐タンパ性を有している。
【００２７】
＜携帯端末の構成＞
次に、図３を用いて、携帯端末の構成について説明する。
本実施形態に係る携帯端末は、図３に示すように、コンテンツ受信部２０１と、著作権保護プログラム格納部２０２と、コンテンツ格納部２０３と、コンテンツ復号化部２０４と、メディアプレーヤ２１０とから構成され、さらに、メディアプレーヤ２１０は、インターフェース部２１１と、コンテンツ再生部２１２とから構成されている。
【００２８】
コンテンツ受信部２０１は、放送局１００から配信される著作権保護プログラムを含む暗号化された地上波デジタル放送用デジタルコンテンツを受信する。著作権保護プログラム格納部２０２は、コンテンツ受信部２０１が受信したデータから著作権保護プログラムを抜き出して、一時的に、これを格納する。
【００２９】
コンテンツ格納部２０３は、コンテンツ受信部２０１が受信したデータから地上波デジタル放送用デジタルコンテンツを抜き出して、一時的に、これを格納する。コンテンツ復号化部２０４は、著作権保護プログラムを介してコンテンツ鍵を入手して、暗号化された地上波デジタル放送用デジタルコンテンツを復号する。
【００３０】
メディアプレーヤ２１０は、コンテンツ再生部２１２を有しており、これにより、復号した地上波デジタル放送用デジタルコンテンツを再生する。また、インターフェース部２１１を有しており、これにより、著作権保護プログラムとの相互認証を行う。すなわち、本実施形態におけるメディアプレーヤ２１０は、著作権保護機能を具備しておらず、著作権保護プログラムの不正利用やなりすまし等を防止するために、上記のように、インターフェース部２１１を用いて、メディアプレーヤ２１０と著作権保護プログラムとの相互認証を実行している。
【００３１】
＜デジタルコンテンツ配信システムの処理＞
次に、図４を用いて、本実施形態に係るデジタルコンテンツ配信システムの処理について説明する。
まず、放送局１００は、配信する地上波デジタル放送用デジタルコンテンツをコンテンツデータベース１０２から抽出し、鍵管理部１０１からの鍵を用いて、コンテンツ暗号化部１０３で暗号化処理を行う。暗号化された地上波デジタル放送用デジタルコンテンツは、合成部１０４において、著作権保護プログラム管理部１０５が管理するコンテンツに対応した著作権保護プログラムと合成され、コンテンツ送信部１０６から携帯端末２００に配信される（ステップＳ１０１）。
【００３２】
一方、携帯端末２００のコンテンツ受信部２００は、放送局から著作権保護プログラムを含む暗号化された地上波デジタル放送用デジタルコンテンツを受信し、受信したでーたのうち、著作権保護プログラムを著作権保護プログラム格納部２０２に一時格納し、暗号化された地上波デジタル放送用デジタルコンテンツをコンテンツ格納部２０３に一時格納する。著作権保護プログラム格納部２０２に一時格納された著作権保護プログラムは、メディアプレーヤ２１０とインターフェース部２１１を介して、相互認証を実行する（ステップＳ１０２）。これにより、著作権保護プログラムの不正利用やなりすまし等を防止できる。
【００３３】
次に、著作権保護プログラムが管理サーバ３００からコンテンツ鍵のダウンロードを行い、取得したコンテンツ鍵を用いて、コンテンツ復号化部２０４が暗号化された地上波デジタル放送用デジタルコンテンツを復号する（ステップＳ１０３）。そして、復号された地上波デジタル放送用デジタルコンテンツがメディアプレーヤ２１０内のコンテンツ再生部に入力され、地上波デジタル放送用デジタルコンテンツが再生される（ステップＳ１０４）。
【００３４】
したがって、本実施形態によれば、放送局１００が、暗号化されたデジタルコンテンツに著作権保護プログラムを含めて配信することから、サービスに供されるコンテンツ毎に、異なる著作権保護ポリシを柔軟に変更できる。
【００３５】
なお、デジタルコンテンツ配信システムのそれぞれの処理をコンピュータ読み取り可能な記録媒体に記録し、この記録媒体に記録されたプログラムをデジタルコンテンツ配信システムに読み込ませ、実行することによって本発明のデジタルコンテンツ配信システムを実現することができる。ここでいうコンピュータシステムとは、ＯＳや周辺装置等のハードウェアを含む。
【００３６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００３７】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００３８】
以上、この発明の実施形態につき、図面を参照して詳述してきたが、具体的な構成はこの実施形態に限られるものではなく、この発明の要旨を逸脱しない範囲の設計等も含まれる。例えば、本実施形態においては、１セグメント放送を例にとって説明したが、これに限らず、サーバからネットワークを介して配信されるようなデジタルコンテンツ配信システムに適用することができる。
【図面の簡単な説明】
【００３９】
【図１】本実施形態に係るデジタルコンテンツ配信システムの構成図である。
【図２】本実施形態に係る放送局の構成図である。
【図３】本実施形態に係る携帯端末の構成図である。
【図４】本実施形態に係るデジタルコンテンツ配信システムの処理フローである。
【符号の説明】
【００４０】
１００・・・放送局、１０１・・・鍵管理部、１０２・・・コンテンツデータベース、１０３・・・コンテンツ暗号化部、１０４・・・合成部、１０５・・・著作権保護プログラム管理部、１０６・・・コンテンツ送信部、２００・・・携帯端末、２０１・・・コンテンツ受信部、２０２・・・著作権保護プログラム格納部、２０３・・・コンテンツ格納部、２０４・・・コンテンツ復号化部、２１０・・・メディアプレーヤ、２１１・・・インターフェース部、２１２・・・コンテンツ再生部、３００・・・管理サーバ、４００・・・ネットワーク
【図１】
2008187421.tif 000003
【図２】
2008187421.tif 000004
【図３】
2008187421.tif 000005
【図４】
2008187421.tif 000006